(57)【特許請求の範囲】
【請求項１】
通信端末装置間で音声，映像及びデータの少なくとも１つを含む信号の伝達パスを接続させる複数の伝達交換機に動作指示を与える複数台のサービス制御装置について集約的に設備管理を行うためのファイル管理方法であって、
設備管理のために入力されるデータを、設備管理装置に収容されたサービス制御装置に適合したサービス制御実行データに変換するためのデータ変換プログラムを互いに異なる版数を割り当てて複数管理し、
指定された版数に応じて、１つのデータ変換プログラムを選択してデータ変換を行いサービス制御実行データを作成し、
前記サービス制御装置に関する不変的な情報を、雛形データとしてそれぞれに版数を関連付けて複数管理し、
前記データ変換プログラムでデータ変換を実行する前に、入力されるデータと該当する版数の雛形データとを合成する
ことを特徴とするファイル管理方法。
【請求項２】
通信端末装置間で音声，映像及びデータの少なくとも１つを含む信号の伝達パスを接続させる複数の伝達交換機に動作指示を与える複数台のサービス制御装置を備えるシステムにおいて、前記複数台のサービス制御装置を集約的に管理する設備管理装置上に配置されるファイル管理装置であって、
設備管理のために入力されるデータを設備管理装置に収容されたサービス制御装置に適合したサービス制御実行データに変換するための複数のデータ変換プログラムをそれぞれに版数を割り当てて保持するプログラム保持手段と、
入力されたデータからそれに対応する版数を識別する版数識別手段と、
前記版数識別手段の識別した版数に対応する特定のデータ変換プログラムを自動的に選択しそのデータ変換プログラムを実行してデータ変換を行いサービス制御実行データを作成するデータ作成手段と、
前記サービス制御装置に関する不変的な情報を、雛形データとしてそれぞれに版数を関連付けて複数保持する雛形データ保持手段と、
前記データ変換プログラムでデータ変換を実行する前に、入力されるデータと該当する版数の雛形データとを合成するデータ合成手段と
を設けたことを特徴とするファイル管理装置。
【発明の詳細な説明】
【０００１】
【発明の属する技術分野】
本発明は、通信サービス制御網に設けられる設備管理装置上でのファイル管理を行うためのファイル管理方法及びファイル管理装置に関する。
【０００２】
【従来の技術】
例えば電話回線などを用いて複数の通信端末装置間で音声，映像あるいはデータを含む信号を伝送する場合には、通信端末装置間の伝達パスを接続させるために少なくとも１つの伝達交換機が用いられる。伝達交換機とは一般的な交換機であり、ルーチング設定及び方路設定を行う。
【０００３】
一方、サービス制御装置（ＳＣＰ：サービスコントロールポイント）は加入者情報を保持しており、伝達交換機からの問い合わせに対して、接続動作に必要な情報を応答し動作指示を与える。
一例として、端末（Ａ）から発信して端末（Ｂ）に着信する場合に、端末（Ｂ）が転送電話である場合を想定する。端末（Ａ）が発信すると、端末（Ｂ）の番号情報に基づき伝達交換機はどのサービス制御装置で管理されているかを識別し、そのサービス制御装置に問い合わせを行う。
【０００４】
その場合、サービス制御装置は端末（Ｂ）の番号の転送先設定の有無及び転送先番号情報を管理しているので、その情報を伝達交換機に通知する。これにより、伝達交換機は端末（Ｂ）の転送先に対して接続を行うことができる。
【０００５】
また、サービス制御装置は加入者情報の他に、所定のサービスを実行するために必要な所データと呼ばれるサービス制御実行データを保持する。サービス制御実行データは代表的な情報として次の情報を含んでいる。
（１）自局交換機情報：ＳＣＰ設置ビル名，ユニット名
（２）交換機のアドレス情報：共通線信号処理を行うためのアドレス情報
（３）共通線信号処理に関する情報：共通線信号処理を行うためのアドレス情報，収容情報，ルーチング情報
（４）ハードウェアの構成情報：パッケージの実装位置情報，ハードディスク等の割付情報
（５）保守系装置情報：設備管理装置との間の通信のコマンド，メッセージやファイル転送を行う際の接続情報
また、サービス制御装置が保持するサービス制御実行データは、設置局毎に異なる。
【０００６】
また、複数台のサービス制御装置について集約的に設備管理を行うために、設備管理装置が存在する。
すなわち、このような通信サービス制御網ではシステムは図３に示すように構成されている。
例えば、サービス制御装置上のハードウェア及びソフトウェアの追加や更新を行う場合には、それに適合するサービス制御実行データ（所データ）をサービス制御装置に保持する必要がある。
【０００７】
しかし、所データは交換機自体の制御に適した形式で構成されているので、そのデータを直接作成するのは難しい。従って、一般的には人間の理解しやすいテキストなどの形式でデータを作成し、予め用意された変換プログラムを用いて入力データを所データの形式に変換している。
このような所データを作成する場合には、図３に示すようなファイル作成専用装置を用いて行っている。ファイル作成専用装置上で作成された所データのデータファイルは、設備管理装置を介して管理されサービス制御装置に転送される。
【０００８】
【発明が解決しようとする課題】
そのため、システムを導入する際にはファイル作成専用装置の導入も必須であり、パッケージ情報に関するデータ変換ロジックを変更する場合や、入力データ（テキストデータ）から所データへのデータ変換ロジックに機能を追加する場合には、サービス制御装置，設備管理装置及びファイル作成専用装置のそれぞれについて機能の追加が必要である。
【０００９】
また、ファイル作成専用装置に対しては、各サービス制御装置で保持されるデータファイルの状態が設備管理装置を介して通知されるので、複数ファイル間でデータの不整合などの問題が発生する頻度が高く、不整合が発生する度に人間の入力操作で復旧させる必要があった。
本発明は、機能の変更などに伴ってサービス制御実行データ（所データ）を更新する際に、データの不整合が生じるのを未然に防止するとともに、複数のサービス制御装置の一部分だけに対する機能追加を可能にするファイル管理方法及びファイル管理装置を提供することを目的とする。
【００１０】
【課題を解決するための手段】
請求項１のファイル管理方法は、通信端末装置間で音声，映像及びデータの少なくとも１つを含む信号の伝達パスを接続させる複数の伝達交換機に動作指示を与える複数台のサービス制御装置について集約的に設備管理を行うためのファイル管理方法であって、設備管理のために入力されるデータを、設備管理装置に収容されたサービス制御装置に適合したサービス制御実行データに変換するためのデータ変換プログラムを互いに異なる版数を割り当てて複数管理し、指定された版数に応じて、１つのデータ変換プログラムを選択してデータ変換を行いサービス制御実行データを作成し、前記サービス制御装置に関する不変的な情報を、雛形データとしてそれぞれに版数を関連付けて複数管理し、前記データ変換プログラムでデータ変換を実行する前に、入力されるデータと該当する版数の雛形データとを合成することを特徴とする。
【００１１】
請求項１においては、複数のデータ変換プログラムを互いに異なる版数を割り当てて管理しているので、版数を指定して特定のデータ変換プログラムを選択することにより、入力データを各々のサービス制御装置に適合したサービス制御実行データに変換することができる。
例えば、一部分の機能を追加する場合に、追加前の機能に対応するデータ変換プログラムと追加後の機能に対応するデータ変換プログラムとの両者を互いに異なる版数を割り当てて同時に管理することができるので、設備管理装置が管理する複数のサービス制御装置の一部分だけについて機能を変更する場合であっても、版数を指定することにより、変更対象のサービス制御装置と変更対象外のサービス制御装置とのそれぞれに適合するサービス制御実行データを生成できる。
【００１２】
特に、版数により特定された雛形データと入力データとを合成してからデータ変換を実行するので、不変的な情報の入力を省略し、サービス制御実行データの作成を容易にできる。また、複数の雛形データを版数で管理しているので、例えばハードウェアやサービスの内容が異なる複数のサービス制御装置に対しても１台の設備管理装置でそれぞれに必要とされるサービス制御実行データを生成できる。
【００１３】
請求項２のファイル管理装置は、通信端末装置間で音声，映像及びデータの少なくとも１つを含む信号の伝達パスを接続させる複数の伝達交換機に動作指示を与える複数台のサービス制御装置を備えるシステムにおいて、前記複数台のサービス制御装置を集約的に管理する設備管理装置上に配置されるファイル管理装置であって、設備管理のために入力されるデータを設備管理装置に収容されたサービス制御装置に適合したサービス制御実行データに変換するための複数のデータ変換プログラムをそれぞれに版数を割り当てて保持するプログラム保持手段と、入力されたデータからそれに対応する版数を識別する版数識別手段と、前記版数識別手段の識別した版数に対応する特定のデータ変換プログラムを自動的に選択しそのデータ変換プログラムを実行してデータ変換を行いサービス制御実行データを作成するデータ作成手段と、前記サービス制御装置に関する不変的な情報を、雛形データとしてそれぞれに版数を関連付けて複数保持する雛形データ保持手段と、前記データ変換プログラムでデータ変換を実行する前に、入力されるデータと該当する版数の雛形データとを合成するデータ合成手段とを設けたことを特徴とする。
【００１４】
特に、前記サービス制御装置に関する不変的な情報を、雛形データとしてそれぞれに版数を関連付けて複数保持する雛形データ保持手段と、前記データ変換プログラムでデータ変換を実行する前に、入力されるデータと該当する版数の雛形データとを合成するデータ合成手段とを更に設けたことを特徴とする。
【００１５】
請求項２のファイル管理装置を設備管理装置に搭載することにより、請求項１のファイル管理方法を実施できる。
【００１６】
【発明の実施の形態】
本発明のファイル管理方法及びファイル管理装置の１つの実施の形態について、図１及び図２を参照して説明する。この形態は全ての請求項に対応する。
【００１７】
図１はこの形態のシステムの構成を示すブロック図である。図２はこの形態の設備管理装置の動作を示すフローチャートである。
この形態では、請求項２のサービス制御装置，設備管理装置，プログラム保持手段，版数識別手段及びデータ作成手段は、それぞれサービス制御装置２２，設備管理装置１０，データベース１４，入力データチェック部１１及びデータ作成制御部１３に対応する。また、請求項２の雛形データ保持手段及びデータ合成手段は、それぞれデータベース１５及びデータ作成制御部１３に対応する。
【００１８】
この形態では、電話回線などの通信サービスを制御する複数台のサービス制御装置２２を設備管理装置１０で集中的に管理するシステムを想定している。
例えば電話回線などを用いて複数の通信端末装置間で音声，映像あるいはデータを含む信号を伝送する場合には、通信端末装置間の伝達パスを接続させるために少なくとも１つの伝達交換機が用いられる。伝達交換機とは一般的な交換機であり、ルーチング設定及び方路設定を行う。
【００１９】
一方、サービス制御装置２２は加入者情報を保持しており、伝達交換機からの問い合わせに対して、接続動作に必要な情報を応答し動作指示を与える。また、サービス制御装置２２は加入者情報の他に、所定のサービスを実行するために必要な所データと呼ばれるサービス制御実行データを保持する。サービス制御実行データは代表的な情報として次の情報を含んでいる。
【００２０】
（１）自局交換機情報：ＳＣＰ設置ビル名，ユニット名
（２）交換機のアドレス情報：共通線信号処理を行うためのアドレス情報
（３）共通線信号処理に関する情報：共通線信号処理を行うためのアドレス情報，収容情報，ルーチング情報
（４）ハードウェアの構成情報：パッケージの実装位置情報，ハードディスク等の割付情報
（５）保守系装置情報：設備管理装置との間の通信のコマンド，メッセージやファイル転送を行う際の接続情報
また、各サービス制御装置２２が保持するサービス制御実行データは、設置局毎に異なる。
【００２１】
サービス制御装置２２にハードウェアが追加されたり機能やサービスの内容が変更された場合には、その変更内容に適合するように所データを更新する必要がある。また、所データの内容は交換機が実行するプログラムにとっては容易に把握できるが人間にとっては非常に理解しにくい内容になっているので、所データを人間が直接作成することはできない。
【００２２】
そこで、設備管理装置１０に収容された複数のサービス制御装置２２の少なくとも１つについて所データの更新が必要になった場合には、操作端末２１から入力されるテキストデータに基づいて、設備管理装置１０が自動的にデータ変換を行い、所データを作成してサービス制御装置２２上の所データを更新する。
図１に示すように、この設備管理装置１０は入力データチェック部１１，版数管理ＤＢ（データベースの略、以下同様）１２，データ作成制御部１３，データベース１４，１５，１６及びデータ転送更新部１７を備えている。データ転送更新部１７には所データＤＢ１８及び設備図面データＤＢ１９が備わっている。
【００２３】
データベース１４には、互いに異なる版数により管理されたデータ変換プログラムが複数登録されている。各々のデータ変換プログラムは、原票データをサービス制御装置２２で参照可能な所データに変換するためのプログラムである。原票データとは、機能単位でコード化された情報の集合である。所データは交換機の制御プログラムで参照可能な一本化されたデータである。
【００２４】
データベース１５には、雛形原票のデータファイルが複数登録されている。前記データ変換プログラムに入力するデータの条件は原票として予め定義されている。この例では複数の原票が存在する。また、導入条件に応じて変更の不要な不変的な情報を含む原票が存在する。それを雛形原票としてデータベース１５上に複数登録してある。
【００２５】
例えば、サービス制御装置２２上には増減設を行わない固定的に設置されたパッケージ（共通線収容パッケージ以外）が存在する。そのパッケージについてサービス制御装置２２の制御プログラムが参照する設定情報は雛形原票として固定的に用意しておくことができる。複数の原票の各々には、互いに異なる版数を割り当ててある。
【００２６】
データベース１６には、雛形図面のデータファイルが複数登録されている。この例では、各サービス制御装置２２の保守運用に役立てるために設備図面のデータを設備管理装置１０が作成する。この設備図面には、各サービス制御装置２２に実装されたパッケージ（電子回路）の情報（パッケージ名称，実装位置，ファームウエアの版数など）が含まれる。このデータを作成する際に、不変的な情報を雛形図面としてデータベース１６上に予め複数用意しておく。複数の雛形図面の各々には、互いに異なる版数を割り当ててある。
【００２７】
版数管理ＤＢ１２は、各データベース１４，１５，１６に蓄積された複数のデータ変換プログラム，雛形原票，雛形図面の版数を管理している。
新たに作成する所データの元になるデータは、人間にわかりやすい形式のテキストデータとして操作端末２１で作成され、設備管理装置１０に入力される。
入力データチェック部１１は、版数管理ＤＢ１２を参照すると共に操作端末２１から入力されるテキストデータの内容をチェックする。
【００２８】
データ作成制御部１３は、入力データチェック部１１から入力されるデータと、各データベース１４，１５，１６の内容とに基づいて、所データ及び設備図面のデータを作成する。
設備管理装置１０における主要な動作は図２に示す通りである。
ステップＳ１０では、操作端末２１からテキストデータを入力する。
【００２９】
ステップＳ１１では、入力されたテキストデータから版数指定情報を検出する。この例では、雛形原票の１つの版数Ｒ１，データ変換プログラムの１つの版数Ｒ２及び雛形図面の１つの版数Ｒ３とを１つの版数指定情報に予め対応付けてある。もちろん、雛形原票の版数，データ変換プログラムの版数及び雛形図面の版数を個別にテキストデータと共に操作端末２１から入力してもよい。
【００３０】
ステップＳ１２では、入力されたテキストデータの版数指定情報から版数Ｒ１，Ｒ２，Ｒ３を取得する。また、版数管理ＤＢ１２で管理されている版数情報に基づいて、版数Ｒ１に対応するデータベース１５上の雛形原票，版数Ｒ２に対応するデータベース１４上のデータ変換プログラム及び版数Ｒ３に対応するデータベース１６上の雛形図面をそれぞれ特定する。
【００３１】
ステップＳ１３では、入力されたテキストデータを原票データに変換する。
ステップＳ１４では、版数Ｒ１に対応した１つの雛形原票のデータファイルをデータベース１５から選択的に読み込む。
ステップＳ１５では、版数Ｒ２に対応した１つのデータ変換プログラムをデータベース１４から選択的に読み込む。
【００３２】
ステップＳ１６では、ステップＳ１３で生成した原票データとステップＳ１４で選択した雛形原票のデータとを合成して１つのデータファイルを作成する。
ステップＳ１７では、ステップＳ１５で選択した１つのデータ変換プログラムを実行し、ステップＳ１６で合成したデータの変換処理を実行する。これにより、１つの所データが生成される。
【００３３】
ステップＳ１８では、入力されたテキストデータからパッケージ情報を作成する。このパッケージ情報には、パッケージ名称，パッケージ数，実装位置及びファームウエア版数の情報が含まれている。
ステップＳ１９では、版数Ｒ３に対応した１つの雛形図面のデータファイルをデータベース１６から選択的に読み込む。
【００３４】
ステップＳ２０では、ステップＳ１８で作成したパッケージ情報及びステップＳ１９で選択した雛形図面のデータとを合成する。これにより、１つの設備図面データが作成される。
ステップＳ２１では、版数を付加した所データ及び設備図面データを、それぞれデータ転送更新部１７の所データＤＢ１８及び設備図面データＤＢ１９に保存する。これらのデータは、更新を必要とするサービス制御装置２２に転送され、サービス制御装置２２上の所データＤＢ２３の内容が更新される。更新先のサービス制御装置２２については、操作端末２１からのデータ入力により指定することができる。
【００３５】
版数管理ＤＢ１２は、各サービス制御装置２２における所データの版数を保持し管理している。設備管理装置１０からサービス制御装置２２に新たな所データが転送され、サービス制御装置２２における所データの更新が完了した段階で、設備管理装置１０の版数管理ＤＢ１２で管理している所データの版数も更新される。
【００３６】
【発明の効果】
本発明によれば、互いに版数の異なる複数のデータ変換プログラム及び雛形原票を用いて１台の設備管理装置で複数種類の所データを作成することができる。従って、互いに異なるハードウェアパッケージ及びサービス機能を搭載する複数のサービス制御装置を１つの設備管理装置に収容することが可能になる。
【００３７】
また、データ変換プログラムなどの版数管理を行うので、部分的な機能の追加や変更を行う場合でも、変更前と変更後のそれぞれに対応した複数のデータ変換プログラムを同時に管理することができ、サービス制御装置上のデータファイルの作成及び管理を行う上での保守性が改善する。
また、所チータの作成を設備管理装置内で実現することができるので、専用のファイル管理装置を設ける必要がなく、システムの構成が簡素になるとともに、機能追加や機能変更を行う構成システム数を削減できる。さらに、原票や図面データ中の不変的なものを設備管理装置内に雛形として配備することにより、入力データに含める入力項目数を削減し、データ入力や入力データチェックの処理負荷を低減することができる。
【図面の簡単な説明】
【図１】実施の形態のシステムの構成を示すブロック図である。
【図２】実施の形態の設備管理装置の動作を示すフローチャートである。
【図３】従来例のシステムの構成を示すブロック図である。
【符号の説明】
１０  設備管理装置
１１  入力データチェック部
１２  版数管理ＤＢ
１３  データ作成制御部
１４，１５，１６  データベース
１７  データ転送更新部
１８  所データＤＢ
１９  設備図面データＤＢ
２１  操作端末
２２  サービス制御装置
２３  所データＤＢ
２４  加入者情報ＤＢ
【図１】
0003842991.tif 000002
【図２】
0003842991.tif 000003
【図３】
0003842991.tif 000004